【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
表示手段に表示された画面に基づく操作により複数の装置機能を利用する画像処理装置において、
前記複数の装置機能を利用する際に前記表示手段に表示させるための画面情報を記憶する画面記憶手段と、
前記複数の装置機能のそれぞれの利用のためのマニュアル情報を記憶するマニュアル記憶手段と、
前記マニュアル記憶手段に記憶された前記複数の装置機能のいずれかの利用のためのマニュアル情報を前記表示手段に表示させるために、当該装置機能を利用する際に前記表示手段に表示させるための画面情報を前記画面記憶手段から取得し、該取得した画面情報を含むマニュアル情報を作成するマニュアル作成手段とを有することを特徴とする画像処理装置。
【請求項２】
前記表示手段にマニュアル情報を表示させる際、前記画面記憶手段に記憶された画面情報の取得の要否を判断する判断手段を有し、
前記マニュアル作成手段は、前記判断手段により画面情報の取得が必要と判断された場合に前記画面記憶手段に記憶された画面情報の取得を行うことを特徴とする請求項１に記載の画像処理装置。
【請求項３】
前記表示手段は、タッチパネル式の操作手段であることを特徴とする請求項１又は２に記載の画像処理装置。
【請求項４】
前記マニュアル作成手段は、前記取得した画面情報を縮小した画像を含むマニュアル情報を作成することを特徴とする請求項１乃至３のいずれか１項に記載の画像処理装置。
【請求項５】
前記マニュアル記憶手段は、前記複数の機能のそれぞれと対応付けて前記画面記憶手段に記憶されている画面情報を特定する情報を記憶することを特徴とする請求項１乃至４のいずれか１項に記載の画像処理装置。
【請求項６】
表示手段に表示された画面に基づく操作により複数の装置機能を利用する画像処理装置の制御方法であって、
前記複数の装置機能を利用する際に前記表示手段に表示させるための画面情報を画面記憶手段に記憶し、
前記複数の装置機能のそれぞれの利用のためのマニュアル情報をマニュアル記憶手段に記憶し、
前記マニュアル記憶手段に記憶された前記複数の装置機能のいずれかの利用のためのマニュアル情報を前記表示手段に表示させるために、当該装置機能を利用する際に前記表示手段に表示させるための画面情報を前記画面記憶手段から取得し、該取得した画面情報を含むマニュアル情報を作成することを特徴とする画像処理装置の制御方法。
【請求項７】
請求項６に記載の画像処理装置の制御方法をコンピュータにより実現するためのコンピュータで実行可能なプログラム。
【請求項８】
請求項７に記載のプログラムを格納したコンピュータで読取り可能な記憶媒体。
【手続補正２】
【補正対象書類名】明細書
【補正対象項目名】発明の名称
【補正方法】変更
【補正の内容】
【発明の名称】画像処理装置及びその制御方法、プログラム、及び記憶媒体
【手続補正３】
【補正対象書類名】明細書
【補正対象項目名】０００１
【補正方法】変更
【補正の内容】
【０００１】
本発明は、画像処理装置及びその制御方法、プログラム、及び記憶媒体に関し、特に、装置機能の操作マニュアルに関するヘルプ表示を実行するデジタル複合複写機等の
画像処理装置及びその制御方法、プログラム、及び記憶媒体に関する。
【手続補正４】
【補正対象書類名】明細書
【補正対象項目名】０００８
【補正方法】変更
【補正の内容】
【０００８】
本発明の目的は、ユーザが使用している装置構成、オプション構成、カスタマイズ状況
に応じたマニュアル情報を表示させることができる画像処理装置及びその制御方法、プログラム、及び記憶媒体を提供することにある。
【手続補正５】
【補正対象書類名】明細書
【補正対象項目名】０００９
【補正方法】変更
【補正の内容】
【０００９】
上記目的を達成するために、請求項１記載の画像処理装置は、表示手段に表示された画面に基づく操作により複数の装置機能を利用する画像処理装置において、前記複数の装置機能を利用する際に前記表示手段に表示させるための画面情報を記憶する画面記憶手段と、前記複数の装置機能のそれぞれの利用のためのマニュアル情報を記憶するマニュアル記憶手段と、前記マニュアル記憶手段に記憶された前記複数の装置機能のいずれかの利用のためのマニュアル情報を前記表示手段に表示させるために、当該装置機能を利用する際に前記表示手段に表示させるための画面情報を前記画面記憶手段から取得し、該取得した画面情報を含むマニュアル情報を作成するマニュアル作成手段とを有することを特徴とする。
【手続補正６】
【補正対象書類名】明細書
【補正対象項目名】００１０
【補正方法】変更
【補正の内容】
【００１０】
請求項６記載の画像処理装置の制御方法は、表示手段に表示された画面に基づく操作により複数の装置機能を利用する画像処理装置の制御方法であって、前記複数の装置機能を利用する際に前記表示手段に表示させるための画面情報を画面記憶手段に記憶し、前記複数の装置機能のそれぞれの利用のためのマニュアル情報をマニュアル記憶手段に記憶し、前記マニュアル記憶手段に記憶された前記複数の装置機能のいずれかの利用のためのマニュアル情報を前記表示手段に表示させるために、当該装置機能を利用する際に前記表示手段に表示させるための画面情報を前記画面記憶手段から取得し、該取得した画面情報を含むマニュアル情報を作成することを特徴とする。
【手続補正７】
【補正対象書類名】明細書
【補正対象項目名】００１１
【補正方法】変更
【補正の内容】
【００１１】
請求項７記載のコンピュータで実行可能なプログラムは、上記画像処理装置の制御方法をコンピュータにより実現することを特徴とする。
【手続補正８】
【補正対象書類名】明細書
【補正対象項目名】００１２
【補正方法】変更
【補正の内容】
【００１２】
請求項８記載のコンピュータで読取り可能な記憶媒体は、上記プログラムを格納したことを特徴とする。
【手続補正９】
【補正対象書類名】明細書
【補正対象項目名】００１３
【補正方法】変更
【補正の内容】
【００１３】
本発明によれば、装置機能を利用する際に表示手段に表示する画面情報を取得し、当該画面情報を含むマニュアル情報を作成するので、例えば、ユーザが使用している装置構成、オプション構成、カスタマイズ状況に応じたマニュアル情報を表示させることができる。
【手続補正１０】
【補正対象書類名】明細書
【補正対象項目名】００１５
【補正方法】変更
【補正の内容】
【００１５】
図１は、本発明の実施の形態に係る画像処理装置を収容するネットワークの構成を示す図である。
【手続補正１１】
【補正対象書類名】明細書
【補正対象項目名】００４５
【補正方法】変更
【補正の内容】
【００４５】
各機能タブが押し下げられたときに表示される画面ビットマップデータは、図２におけるＲＡＭ２００２の表示処理用ＲＡＭ領域１１０１（図６）内にテンポラリデータとして作成される。
【手続補正１２】
【補正対象書類名】明細書
【補正対象項目名】００４６
【補正方法】変更
【補正の内容】
【００４６】
図７に示すように、各機能タブが押し下げられたときに表示される画面ビットマップ（例えば、画面名「標準画面」、「倍率」等）には、夫々、画面ＩＤが割り振られている。例えば、「ソーター」キー９０９が押し下げられたときに表示される図８の画面ビットマップ（画面名「ソート」）には、画面ＩＤ「ＩＤＣ−００３」が割り当てられている。キーの数、キーの文言情報、キーの種類、キーの座標、キーの反転情報等の画面作成情報は、画面ＩＤと関連付けて管理されている。この管理された画面作成情報に基づいて、表示処理用ＲＡＭ領域１１０１に画面ビットマップデータが作成され、この表示処理用ＲＡＭ領域１１０１内に作成された画面ビットマップデータがＣＰＵ２００１の指示により操作部２０１２内のＶＲＡＭ１１０３（図６）に転送され、ＶＲＡＭ１１０３に転送された画面ビットマップが操作部２０１２に表示される。
【手続補正１３】
【補正対象書類名】明細書
【補正対象項目名】００６０
【補正方法】変更
【補正の内容】
【００６０】
図１２において、マニュアル表示の指示があると、マニュアル画面ＩＤ及び管理テーブル（図１１）に基づいて、マニュアルコンテンツを表示するために必要な画面の画面ＩＤを取得し（ステップＳ１２０１）、マニュアルコンテンツを表示するために画面を作成（キャプチャ）する必要があるか否かを判別する（ステップＳ１２０２）。例えば、マニュアル画面ＩＤがＭＣ−００２である場合、画面ＩＤ「ＩＤＣ−００１」に対応する画面と画面ＩＤ「ＩＤＣ−００２」に対応する画面を作成（キャプチャ）する必要があるので、ステップＳ１２０３に進む。
【手続補正１４】
【補正対象書類名】明細書
【補正対象項目名】００７４
【補正方法】変更
【補正の内容】
【００７４】
【図１】本発明の実施の形態に係る画像処理装置を収容するネットワークの構成を示す図である。
【図２】図１における複写機の主要部の構成を示すブロック図である。
【図３】図２におけるスキャナおよびプリンタのハードウェア構成を示す側断面図である。
【図４】図２における操作部の構成を示す平面図である。
【図５】図２における操作部に表示される操作画面の一例を示す図である。
【図６】図２におけるＲＡＭの領域を説明する図である。
【図７】図５における各機能タブが押し下げられたときに表示される画面ビットマップデータに割り振られている画面ＩＤのテーブルの一例を示す図である。
【図８】図５における「ソーター」キーが押し下げられたときに表示される画面ビットマップを説明する図である。
【図９】図２における操作部に表示される目次画面を示す図である。
【図１０】図９における領域に表示された小分類項目「ソートする」を選択した場合の画面を示す図である。
【図１１】図１０におけるコンテンツ表示領域にマニュアルコンテンツを表示するために用いられる管理テーブルの一例を示す図である。
【図１２】図１における複合機能装置により実行されるマニュアル表示処理の手順を示すフローチャートである。